(57)【要約】【課題】紙葉類載置台上にある紙葉類を繰り出しローラにより繰り出す際に、紙葉類が斜行してしまう等の問題が発生することを抑制することができるとともに、紙葉類を紙葉類載置台の上に１枚ずつ載置する際に、紙葉類載置台に載置された紙葉類を略水平状態に維持することができる紙葉類収納カセットおよび紙葉類載置台を提供する。【解決手段】紙葉類載置台５０は、筐体１２の内部から外部に紙葉類を繰り出す際に繰り出しローラ２４に向かって上昇するような基台５２と、基台５２の上面に設けられ、当該基台５２に対して固定された固定部５６と、基台５２の上面において繰り出しローラ２４に対向して設けられ、基台５２に対して昇降方向に変位可能なローラ押圧部５４と、を有している。【選択図】図３
2010108025.tif 000002
【特許請求の範囲】
【請求項１】
筐体と、
前記筐体の内部において昇降するよう設けられ、紙葉類が積層状態で載置される紙葉類載置台と、
前記紙葉類載置台の上方に設けられ、当該紙葉類載置台に載置された紙葉類のうち最上位にある紙葉類をこの紙葉類載置台から繰り出す繰り出しローラと、
を備え、
前記紙葉類載置台は、
前記筐体の内部から外部に紙葉類を繰り出す際に前記繰り出しローラに向かって上昇するような基台と、
前記基台の上面に設けられ、当該基台に対して固定された固定部と、
前記基台の上面において前記繰り出しローラに対向して設けられ、前記基台に対して昇降方向に変位可能なローラ押圧部と、
を有することを特徴とする紙葉類収納カセット。
【請求項２】
前記ローラ押圧部は略水平方向に延びる軸により前記基台または前記固定部に枢支されており、前記ローラ押圧部は前記軸を中心として揺動するようになっていることを特徴とする請求項１記載の紙葉類収納カセット。
【請求項３】
前記ローラ押圧部と前記基台との間に弾性部材が設けられていることを特徴とする請求項１記載の紙葉類収納カセット。
【請求項４】
前記固定部は前記基台の略中央位置に設けられていることを特徴とする請求項１乃至３のいずれか一項に記載の紙葉類収納カセット。
【請求項５】
前記繰り出しローラは左右一対のものからなり、前記ローラ押圧部は前記左右一対の各繰り出しローラに対応して２つ設けられており、前記固定部は前記２つのローラ押圧部の間に配置されていることを特徴とする請求項１乃至４のいずれか一項に記載の紙葉類収納カセット。
【請求項６】
前記固定部の上面に、当該固定部の上方から送られた光を受けるとともにこの受けた光を前記固定部の上方に戻すような光反射機構が設けられており、
前記紙葉類載置台の上方に、前記光反射機構に向かって下方に光を照射する発光部および前記光反射機構により上方に戻された光を受ける受光部が設けられており、前記発光部から照射された光が前記光反射機構により上方に戻されて前記受光部に受けられたか否かにより前記紙葉類載置台に紙葉類が載置されているか否かが検出されるようになっていることを特徴とする請求項１乃至５のいずれか一項に記載の紙葉類収納カセット。
【請求項７】
前記光反射機構は鏡からなることを特徴とする請求項６記載の紙葉類収納カセット。
【請求項８】
前記光反射機構はプリズムからなることを特徴とする請求項６記載の紙葉類収納カセット。
【請求項９】
紙葉類収納カセットの筐体の内部において昇降するよう設けられ、紙葉類が積層状態で載置される紙葉類載置台において、
前記筐体の内部から外部に紙葉類を繰り出す際に前記繰り出しローラに向かって上昇するような基台と、
前記基台の上面に設けられ、当該基台に対して固定された固定部と、
前記基台の上面において、前記紙葉類載置台に載置された紙葉類のうち最上位にある紙葉類をこの紙葉類載置台から繰り出す繰り出しローラに対向して設けられ、前記基台に対して昇降方向に変位可能なローラ押圧部と、
を備えたことを特徴とする紙葉類載置台。
【発明の詳細な説明】
【技術分野】
【０００１】
本発明は、紙幣や小切手等の紙葉類の収納を行う紙葉類収納カセットおよびこの紙葉類収納カセットの筐体の内部に設けられた紙葉類載置台に関し、とりわけ、紙葉類載置台上にある紙葉類を繰り出しローラにより繰り出す際に、紙葉類が斜行してしまう等の問題が発生することを抑制することができるとともに、紙葉類を紙葉類載置台の上に１枚ずつ載置する際に、紙葉類載置台に載置された紙葉類を略水平状態に維持することができる紙葉類収納カセットおよび紙葉類載置台に関する。
【背景技術】
【０００２】
従来から、紙幣や小切手等の紙葉類の収納や投出を行う紙葉類処理装置に、紙葉類収納カセットが着脱自在に収容されていることが知られている。このような紙葉類収納カセットは、略直方体形状の筐体と、筐体の上面に設けられ、当該筐体の外部から内部への紙葉類の投入および筐体の内部から外部への紙葉類の投出を行うための投出入口と、筐体の内部に設けられ、投出入口により筐体の外部から内部に投入された紙葉類が収納される紙葉類収納部と、を備えている。
【０００３】
また、筐体の内部には、投出入口により筐体の外部から内部に投入された紙葉類を紙葉類載置台に送るとともにこの紙葉類載置台に集積された紙葉類を投出入口に繰り出す収納繰出機構が設けられている。ここで、収納繰出機構は、筐体の上面に設けられた投出入口の近傍に設置されている。また、紙葉類載置台は筐体内で昇降自在となっており、筐体の外部から内部へ紙葉類を投入する際には紙葉類載置台を下降させ、この紙葉類載置台を収納繰出機構から遠ざけるようにする。一方、筐体の内部から外部へ紙葉類を投出する際には紙葉類載置台を上昇させ、この紙葉類載置台を収納繰出機構の近傍に位置させるようにする。
【０００４】
従来の紙葉類処理装置の例として、例えば特許文献１に開示されるものが知られている。特許文献１に開示される紙幣入金機において、紙幣を収納する収納庫に、昇降可能なステージが設けられている。このステージは、紙幣を収納庫の内部に取り込む際に、紙幣の集積に伴って徐々に降下する。また、紙幣を収納庫の外部に投出する際には、紙幣を繰り出すための繰り出しローラに対してステージ上の紙幣を当接させるために、ステージは紙幣の繰り出しに伴って上昇する。一般的に、このようなステージは樹脂製の１枚の板から構成されており、この板は略水平方向に延びるよう配置されるとともに、収納庫の側壁に沿って昇降方向にスライドするようになっている。
【０００５】
また、従来の紙葉類処理装置の他の例として、例えば特許文献２に開示されるものが知られている。特許文献２には、紙幣入出金装置等の内部に、紙幣が積層状態で載置されるステージが設けられていることが開示されている。特許文献２に開示される紙幣入出金装置には、ステージを上下動させる駆動部が設けられており、この駆動部によってステージを上下動させている。また、ステージの上方には左右一対の繰り出しローラが設けられており、紙幣入出金装置から紙幣を出金する際には、ステージを上昇させてステージ上の紙幣を各繰り出しローラに当接させ、この左右一対の繰り出しローラにより紙幣の繰り出しを行うようになっている。
【０００６】
【特許文献１】特開２００２−９９９４２号公報
【特許文献２】特開２００７−２８６７５２号公報
【発明の開示】
【発明が解決しようとする課題】
【０００７】
しかしながら、特許文献１、２等に開示されるような従来の紙葉類処理装置では、紙葉類が積層状態で載置されるステージが１枚の板から構成されているため、左右一対となるようステージの上方に設けられた各繰り出しローラの設置高さが互いに異なる場合や、ステージ上に積層状態で載置された紙葉類の束の左右の高さが異なる場合には、ステージ上にある紙葉類に対して、左右一対の繰り出しローラにより与えられる押圧力（グリップ力）が異なるようになってしまう。この場合、ステージに載置された複数の紙葉類のうち最上位にある紙葉類を左右一対の繰り出しローラにより繰り出そうとした際に、紙葉類が斜行してしまう等の問題が発生し、紙葉類を正確に繰り出すことができないおそれがある。
【０００８】
本発明は、このような点を考慮してなされたものであり、紙葉類載置台上にある紙葉類に対して複数の繰り出しローラにより与えられる押圧力（グリップ力）をほぼ同じ大きさとすることができ、このことにより、紙葉類載置台上にある紙葉類を繰り出しローラにより繰り出す際に、紙葉類が斜行してしまう等の問題が発生することを抑制することができ、また、紙葉類を紙葉類載置台の上に１枚ずつ載置する際に、紙葉類載置台に載置された紙葉類を略水平状態に維持することができる紙葉類収納カセットを提供することを目的とする。
【０００９】
また、本発明は、上述のような紙葉類収納カセットの筐体の内部に設けられた紙葉類載置台を提供することを目的とする。
【課題を解決するための手段】
【００１０】
本発明の紙葉類収納カセットは、筐体と、前記筐体の内部において昇降するよう設けられ、紙葉類が積層状態で載置される紙葉類載置台と、前記紙葉類載置台の上方に設けられ、当該紙葉類載置台に載置された紙葉類のうち最上位にある紙葉類をこの紙葉類載置台から繰り出す繰り出しローラと、を備え、前記紙葉類載置台は、前記筐体の内部から外部に紙葉類を繰り出す際に前記繰り出しローラに向かって上昇するような基台と、前記基台の上面に設けられ、当該基台に対して固定された固定部と、前記基台の上面において前記繰り出しローラに対向して設けられ、前記基台に対して昇降方向に変位可能なローラ押圧部と、を有することを特徴とする。
【００１１】
このような紙葉類収納カセットによれば、基台の上面において、基台に対して昇降方向に変位可能なローラ押圧部が繰り出しローラに対向して設けられている。このため、紙葉類載置台に載置された紙葉類のうち最上位にある紙葉類を複数の繰り出しローラにより繰り出そうとした際に、各繰り出しローラの設置高さが互いに異なる場合や、紙葉類載置台上に積層状態で載置された紙葉類の束の左右の高さが異なる場合でも、紙葉類載置台上の紙葉類に各繰り出しローラを当接させたときに、ローラ押圧部が昇降方向に変位することにより、この紙葉類に対して各繰り出しローラにより与えられる押圧力（グリップ力）をほぼ同じ大きさとすることができる。このため、紙葉類が斜行してしまう等の問題が発生することを抑制することができ、紙葉類を正確に繰り出すことができる。
【００１２】
また、基台の上面に、当該基台に対して固定された固定部が設けられているので、筐体の外部から内部に取り込まれた紙葉類を紙葉類載置台の上に１枚ずつ載置する際に、紙葉類載置台に載置された紙葉類を略水平状態に維持することができる。ここで、固定部がなく、基台に対して昇降方向に変位可能なローラ押圧部のみが基台の上面に設けられている場合には、紙葉類が紙葉類載置台の上に集積されたときに、紙葉類が傾いてしまうおそれがあるが、上述のような紙葉類収納カセットでは固定部が基台の上面に固定されているので、このような問題が生じることはない。
【００１３】
本発明の紙葉類収納カセットにおいては、前記ローラ押圧部は略水平方向に延びる軸により前記基台または前記固定部に枢支されており、前記ローラ押圧部は前記軸を中心として揺動するようになっていることが好ましい。このことにより、ローラ押圧部は基台に対して昇降方向に変位可能となる。
【００１４】
あるいは、前記ローラ押圧部と前記基台との間に弾性部材が設けられていてもよい。この場合でも、ローラ押圧部は基台に対して昇降方向に変位可能となる。
【００１５】
本発明の紙葉類収納カセットにおいては、前記固定部は前記基台の略中央位置に設けられていることが好ましい。このことにより、筐体の外部から内部に取り込まれた紙葉類を紙葉類載置台の上に１枚ずつ載置する際に、紙葉類載置台に載置された紙葉類をより確実に略水平状態に維持することができる。
【００１６】
本発明の紙葉類収納カセットにおいては、前記繰り出しローラは左右一対のものからなり、前記ローラ押圧部は前記左右一対の各繰り出しローラに対応して２つ設けられており、前記固定部は前記２つのローラ押圧部の間に配置されていることが好ましい。このことにより、各ローラ押圧部を、左右一対の繰り出しローラにそれぞれ対向させることができる。
【００１７】
本発明の紙葉類収納カセットにおいては、前記固定部の上面に、当該固定部の上方から送られた光を受けるとともにこの受けた光を前記固定部の上方に戻すような光反射機構が設けられており、前記紙葉類載置台の上方に、前記光反射機構に向かって下方に光を照射する発光部および前記光反射機構により上方に戻された光を受ける受光部が設けられており、前記発光部から照射された光が前記光反射機構により上方に戻されて前記受光部に受けられたか否かにより前記紙葉類載置台に紙葉類が載置されているか否かが検出されるようになっている。このことにより、紙葉類載置台に紙葉類が載置されているか否かを容易に検出することができる。なお、このことは、紙葉類載置台において基台に対して固定部が固定されていることによりなされるものであり、固定部がなく、基台に対して昇降方向に変位可能なローラ押圧部のみが基台の上面に設けられている場合には、光反射機構を適切に設置することができないので、紙葉類載置台に紙葉類が載置されているか否かを検出するという所期の目的を達成することができない。
【００１８】
上述のような紙葉類収納カセットにおいては、前記光反射機構は鏡からなることが好ましい。あるいは、前記光反射機構はプリズムからなっていてもよい。
【００１９】
本発明の紙葉類載置台は、紙葉類収納カセットの筐体の内部において昇降するよう設けられ、紙葉類が積層状態で載置される紙葉類載置台において、前記筐体の内部から外部に紙葉類を繰り出す際に前記繰り出しローラに向かって上昇するような基台と、前記基台の上面に設けられ、当該基台に対して固定された固定部と、前記基台の上面において、前記紙葉類載置台に載置された紙葉類のうち最上位にある紙葉類をこの紙葉類載置台から繰り出す繰り出しローラに対向して設けられ、前記基台に対して昇降方向に変位可能なローラ押圧部と、を備えたことを特徴とする。
【発明の効果】
【００２０】
本発明の紙葉類収納カセットおよび紙葉類載置台によれば、紙葉類載置台上にある紙葉類を繰り出しローラにより繰り出す際に、紙葉類が斜行してしまう等の問題が発生することを抑制することができるとともに、紙葉類を紙葉類載置台の上に１枚ずつ載置する際に、紙葉類載置台に載置された紙葉類を略水平状態に維持することができる。
【発明を実施するための最良の形態】
【００２１】
以下、図面を参照して本発明の一の実施の形態について説明する。図１乃至図９は、本実施の形態に係る紙葉類収納カセットおよびこの紙葉類収納カセットに設けられた紙葉類載置台を示す図である。このうち、図１は、本実施の形態における紙葉類収納カセットの外観を示す斜視図であり、図２は、図１に示す紙葉類収納カセットの内部の構成の概略を示す構成図である。また、図３は、図１および図２に示す紙葉類収納カセットに設けられた紙葉類載置台の構成を示す斜視図であり、図４は、図３に示す紙葉類載置台の上面図であり、図５は、図４に示す紙葉類載置台のＡ−Ａライン矢視による側面図である。また、図６は、図１および図２に示す紙葉類収納カセットに設けられた紙葉類載置台の他の構成を示す上面図であり、図７は、図６に示す紙葉類載置台の側面図である。また、図８は、図５等に示す紙葉類載置台における光反射機構の構成を示す説明図であり、図９は、図８に示す光反射機構の具体的な構成を示す斜視図および拡大説明図である。
【００２２】
図１に示すように、紙葉類収納カセット１０は、略直方体形状の筐体１２を有し、紙幣や小切手等の紙葉類を筐体１２の内部に収納するようになっている。図１に示すように、紙葉類収納カセット１０において、投出入口１６が筐体１２の上面に設けられている。この投出入口１６は、筐体１２の外部から内部への紙葉類の投入および筐体１２の内部から外部への紙葉類の投出を行うために用いられるようになっている。また、紙葉類収納カセット１０の上部には把持部１４が設けられており、操作者はこの把持部１４を持つことにより紙葉類収納カセット１０の持ち運びを行うことができるようになっている。
【００２３】
このような紙葉類収納カセット１０は、概して、紙葉類の収納や投出を行うための紙葉類処理装置に着脱自在に収容されている。そして、紙葉類収納カセット１０が紙葉類処理装置に収容されたときに、この紙葉類処理装置の本体部分から紙葉類が１枚ずつ紙葉類収納カセット１０に送られたり、この紙葉類収納カセット１０から紙葉類が１枚ずつ紙葉類処理装置の本体部分に戻されたりするようになっている。
【００２４】
次に、図２を用いて紙葉類収納カセット１０の内部の構成の概略について説明する。図２に示すように、紙葉類収納カセット１０の筐体１２の内部には、投出入口１６により筐体１２の外部から内部に投入された紙葉類が集積される紙葉類載置台（ステージ）５０が設けられている。この紙葉類載置台５０は筐体１２の内部において上下方向（図２の矢印方向）に往復移動するよう、すなわち昇降するようになっている。また、図２に示すように、紙葉類載置台５０が昇降する範囲を覆うよう、鉛直方向に延びる案内部材３１、３２が設けられており、紙葉類載置台５０上に集積された紙葉類は案内部材３１、３２により当該紙葉類載置台５０上に集積された状態から位置がずれないようになっている。
【００２５】
紙葉類載置台５０は、タイミングベルト３３（後述）に接続されており、タイミングベルト３３の動作によって当該紙葉類載置台５０が昇降されるようになっている。このタイミングベルト３３およびタイミングベルト３３を動作するための駆動機構（図示せず）からなる構成をステージ駆動機構という。そして、ステージ駆動機構は、紙葉類を筐体１２の外部から内部に投入する際には、紙葉類載置台５０を降下させるようになっている。一方、ステージ駆動機構は、紙葉類を筐体１２の内部から外部に投出する際には、紙葉類載置台５０を上昇させるようになっている。なお、紙葉類載置台５０の具体的な構成については後述する。
【００２６】
筐体１２の内部には収納繰出機構が設けられている。この収納繰出機構は、投出入口１６により筐体１２の外部から内部に投入された紙葉類を紙葉類載置台５０上に送るとともに、紙葉類載置台５０上に集積された紙葉類を投出入口１６に繰り出すようになっている。この収納繰出機構は、筐体１２の内部における上部領域に設けられた、フィードローラ２０、ゲートローラ２２および繰り出しローラ（キッカローラ）２４から構成されている。これらのフィードローラ２０、ゲートローラ２２および繰り出しローラ２４は、図２の左方から見て左右一対のものとなっている。また、フィードローラ２０およびゲートローラ２２は互いに当接しており、これらのフィードローラ２０とゲートローラ２２との間にはニップ部が形成されている。
【００２７】
繰り出しローラ２４は紙葉類載置台５０の真上の位置に設けられている。この繰り出しローラ２４には軸２４ａが設けられており、この軸２４ａを中心として回転するようになっている。具体的には、繰り出しローラ２４は、紙葉類を筐体１２の内部から外部に投出する際に図２の時計回りの方向に回転するようになっている。そして、繰り出しローラ２４は、紙葉類を筐体１２の内部から外部に投出する際に紙葉類載置台５０が上昇したときに、この紙葉類載置台５０に集積された紙葉類のうち最も上方にある紙葉類の表面に当接し、この当接した紙葉類をフィードローラ２０とゲートローラ２２との間のニップ部に蹴り出すようになっている。
【００２８】
フィードローラ２０には軸２０ａが設けられており、この軸２０ａを中心として回転するようになっている。具体的には、フィードローラ２０は、紙葉類を筐体１２の外部から内部に投入する際には図２の反時計回りの方向に回転し、投出入口１６から紙葉類搬送路１８（後述）を経てフィードローラ２０に送られた紙葉類を紙葉類載置台５０上に送るようになっている。一方、フィードローラ２０は、紙葉類を筐体１２の内部から外部に投出する際には図２の時計回りの方向に回転し、繰り出しローラ２４によりフィードローラ２０とゲートローラ２２との間のニップ部に送られた紙葉類を紙葉類搬送路１８に送るようになっている。このフィードローラ２０は、図示しないフィードローラ駆動機構により、図２の時計回りの方向または反時計回りの方向に連続的に回転させられるようになっている。
【００２９】
ゲートローラ２２は、図２に示すようにフィードローラ２０に対して当接するよう設けられている。このゲートローラ２２には軸２２ａが設けられている。軸２２ａはその位置が固定されており、回転しないようになっている。また、ゲートローラ２２と軸２２ａとの間にはトルクリミッタ（図示せず）が配設されている。このトルクリミッタは、ゲートローラ２２に対して周方向に沿って予め設定された設定トルク以上の力が加えられたときには、軸２２ａに対するゲートローラ２２の回転を許容するようになっている。一方、トルクリミッタは、ゲートローラ２２に加えられる周方向の力が設定トルクよりも小さいときにはゲートローラ２２と軸２２ａとを連動させるようになっている。すなわち、この場合には、軸２２ａが固定されているので、ゲートローラ２２も回転しないこととなる。
【００３０】
ゲートローラ２２と軸２２ａとの間には上述のようなトルクリミッタが設けられているので、フィードローラ２０とゲートローラ２２との間のニップ部に紙葉類が送られない場合には、前述のようにフィードローラ２０はフィードローラ駆動機構により連続的に回転しており、フィードローラ２０とゲートローラ２２は当接しているのでこのゲートローラ２２にもフィードローラ２０による連れ回りの力がかかることになる。このようなゲートローラ２２にかかる連れ回りの力はトルクリミッタにおける設定トルクよりも大きいため、軸２２ａに対するゲートローラ２２の回転が許容され、ゲートローラ２２はフィードローラ２０に連れ回るようになる。
【００３１】
一方、１枚の紙葉類がフィードローラ２０とゲートローラ２２との間のニップ部に送られると、この紙葉類がフィードローラ２０とゲートローラ２２との間に挟まれるためゲートローラ２２にはフィードローラ２０による連れ回りの力がかからなくなり、このゲートローラ２２に加えられる周方向の力は設定トルクよりも小さくなる。このため、トルクリミッタによりゲートローラ２２と軸２２ａとが連動させられ、軸２２ａが固定されているのでゲートローラ２２も回転しないようになる。このように、フィードローラ２０により紙葉類を紙葉類搬送路１８から紙葉類載置台５０上に送ったり、紙葉類載置台５０上の紙葉類を紙葉類搬送路１８に送ったりする際には、ゲートローラ２２は回転しないこととなる。
【００３２】
紙葉類搬送路１８は、フィードローラ２０とゲートローラ２２との間のニップ部から、投出入口１６まで延びるよう設けられている。このような紙葉類搬送路１８には複数の案内ローラ２５、２６、２７が設けられており、筐体１２の外部から投出入口１６に投入された紙葉類は紙葉類搬送路１８に沿って案内ローラ２５、２６、２７によりフィードローラ２０とゲートローラ２２との間のニップ部に送られるようになっている。また、紙葉類を筐体１２の内部から外部に投出する際に、フィードローラ２０によりこのフィードローラ２０とゲートローラ２２との間のニップ部から繰り出された紙葉類は、紙葉類搬送路１８に沿って案内ローラ２５、２６、２７により投出入口１６に送られるようになっている。
【００３３】
図２に示すように、筐体１２の内部には無端状の例えばゴムベルトからなるタイミングベルト３３が設けられている。このタイミングベルト３３は複数のプーリ３４、３６、３８、４０、４２に張架されており、図２の時計回りまたは反時計回りに循環移動することができるようになっている。ここで、紙葉類載置台５０には取付部５１が設けられており、タイミングベルト３３はこの取付部５１に取り付けられている。このため、ステージ駆動機構からの駆動力がプーリ３６に伝わることによりタイミングベルト３３が循環移動させられると、紙葉類載置台５０もタイミングベルト３３の循環移動に合わせて昇降させられるようになっている。より具体的には、紙葉類を筐体１２の外部から内部に投入する際に、ステージ駆動機構によりプーリ３６を介してタイミングベルト３３が図２の時計回りの方向に循環移動させられると、紙葉類載置台５０が降下する。一方、紙葉類を筐体１２の内部から外部に投出する際に、ステージ駆動機構によりプーリ３６を介してタイミングベルト３３が図２の反時計回りの方向に循環移動させられると、紙葉類載置台５０が上昇する。
【００３４】
次に、紙葉類載置台５０の具体的な構成について図３乃至図５を用いて説明する。ここで、図３は、紙葉類載置台５０の構成を示す斜視図であり、図４は、図３に示す紙葉類載置台５０の上面図である。また、図５は、図４に示す紙葉類載置台５０のＡ−Ａ矢視による側面図である。なお、図５において、参考のため、紙葉類載置台５０の上方にある左右一対の繰り出しローラ２４を二点鎖線で示している。
【００３５】
図３乃至図５に示すように、紙葉類載置台５０は、基台５２と、基台５２の上面に設けられ、この基台５２に対して固定された固定部５６と、基台５２の上面に設けられ、この基台５２に対して昇降方向に変位可能なローラ押圧部５４とを有している。紙葉類載置台５０に載置される紙葉類は、ローラ押圧部５４および固定部５６の両方にまたがって載置されることとなる。
【００３６】
図５等に示すように、基台５２の上面は略水平方向に延びるようになっており、この基台５２には図２に示すような取付部５１が取り付けられている。このため、基台５２は、筐体１２の内部から外部に紙葉類を繰り出す際に繰り出しローラ２４に向かって上昇するようになっている。
【００３７】
固定部５６は、略水平方向に延びる板状の部材からなり、図５に示すように基台５２の上面に固定されている。この固定部５６の上面も略水平方向に延びるようになっている。図４に示すように、固定部５６は基台５２の略中央位置に設けられている。
【００３８】
また、固定部５６の上面には、固定部５６の上方から送られた光を受け入れる光受入部分５８ａおよびこの光受入部分５８ａに受け入れられた光を固定部５６の上方に戻す光戻し部分５８ｂがそれぞれ設けられている。これらの光受入部分５８ａおよび光戻し部分５８ｂにより、光反射機構５８が構成されている。この光反射機構５８の具体的な構成については後述する。
【００３９】
図３および図４に示すように、基台５２の上面よりも上方において固定部５６の周囲にはローラ押圧部５４が設けられている。より具体的には、ローラ押圧部５４は、基台５２の上面よりも広いような板状の部材からなり、その中央部分には開口が形成されており、このローラ押圧部５４の開口に固定部５６が嵌るようになっている。図５に示すように、ローラ押圧部５４は、紙葉類載置台５０の上方にある一対の繰り出しローラ２４に対向して設けられている。すなわち、紙葉類載置台５０に紙葉類が載置されていない場合には、この紙葉類載置台５０が上方に移動したときにローラ押圧部５４が各繰り出しローラ２４にそれぞれ当接するようになっている。
【００４０】
また、図５等に示すように、ローラ押圧部５４は、ビス６０により固定部５６の一方の側面に枢支されているとともに、軸部材６２により固定部５６の他方の側面に枢支されている。また、この際に、ローラ押圧部５４は、ビス６０や軸部材６２の延びる方向に沿って略水平方向に延びる軸線Ｃ（図３および図４参照）を中心として図３の矢印方向に揺動するようになっている。すなわち、図５において、図３や図４に示す軸線Ｃはビス６０の設置箇所から図５の紙面に直交する方向に延びており、ローラ押圧部５４はビス６０を中心として図５の矢印方向に揺動するようになっている。
【００４１】
次に、図８および図９により、紙葉類載置台５０に設けられた光反射機構５８の具体的な構成について説明する。図８は、光反射機構５８の構成を示す説明図であり、図９（ａ）は、図８に示す光反射機構５８の具体的な構成を示す斜視図であり、図９（ｂ）は、図８に示す光反射機構５８の拡大説明図である。
【００４２】
図８に示すように、光反射機構５８は、固定部５６の上方から送られた光を受け入れる光受入部分５８ａと、光受入部分５８ａに受け入れられた光を固定部５６の上方に戻す光戻し部分５８ｂとを有している。より具体的に説明すると、図９（ａ）（ｂ）に示すように、固定部５６の内部において、光受入部分５８ａの下方には、上方から受け入れられた光を略水平方向に反射する第１の反射部分５８ｃが設けられている。また、固定部５６の内部において、光戻し部分５８ｂの下方には、略水平方向に送られる光を反射して上方に送る第２の反射部分５８ｄが設けられている。そして、図９（ｂ）に示すように、光受入部分５８ａおよび光戻し部分５８ｂは、光を通過させる透光部材から構成されている。このため、固定部５６の上方から光受入部分５８ａに送られた光はこの光受入部分５８ａを通過して第１の反射部分５８ｃに送られ、この第１の反射部分５８ｃで反射して略水平方向に進む。そして、この光は第２の反射部分５８ｄに送られ、この第２の反射部分５８ｄで反射して上方に進み、光戻し部分５８ｂを通過して固定部５６の上方に戻されることとなる。このように、光反射機構５８は、光受入部分５８ａ、光戻し部分５８ｂ、第１の反射部分５８ｃおよび第２の反射部分５８ｄを有するプリズムから構成されている。
【００４３】
図８に示すように、紙葉類載置台５０の上方には発光部６４および受光部６６が設置されている。ここで、発光部６４は、固定部５６の上面に設けられた光受入部分５８ａに向かって光を下方に照射するようになっている。また、受光部６６は、固定部５６の上面に設けられた光戻し部分５８ｂから上方に向かって戻される光を受けるようになっている。これらの発光部６４および受光部６６は繰り出しローラ２４の近傍の位置または繰り出しローラ２４よりも上方の位置に設置されている。
【００４４】
ここで、紙葉類が紙葉類載置台５０に載置されていないときには、図８に示すように、発光部６４から光受入部分５８ａに向かって下方に照射された光は、この光受入部分５８ａで受け入れられて光戻し部分５８ｂから固定部５６の上方に戻され、受光部６６がこの上方に戻された光を受けることとなる。このように、発光部６４が照射した光を受光部６６が受けた場合には、紙葉類が紙葉類載置台５０に載置されていないことが検出される。一方、紙葉類が紙葉類載置台５０に載置されているときには、発光部６４から光受入部分５８ａに向かって下方に照射された光は、紙葉類載置台５０に載置された紙葉類により遮断され、受光部６６で受けられることはない。このように、発光部６４が照射した光を受光部６６が受けなかった場合には、紙葉類が紙葉類載置台５０に載置されていることが検出される。
【００４５】
なお、紙葉類載置台５０に設けられる光反射機構は、図９（ａ）（ｂ）に示すようなプリズムからなるものに限定されることはない。光反射機構の他の例としては、固定部５６の上面に取り付けられた、略水平方向に延びる鏡から構成されたものを光反射機構として用いてもよい。
【００４６】
次に、このような構成からなる紙葉類収納カセット１０の動作について以下に説明する。具体的には、紙葉類を紙葉類収納カセット１０の筐体１２の外部から内部に投入する際の動作、および紙葉類を紙葉類収納カセット１０の筐体１２の内部から外部に投出する際の動作についてそれぞれ説明する。
【００４７】
まず、紙葉類を紙葉類収納カセット１０の筐体１２の外部から内部に投入する際の動作について図２を用いて説明する。
【００４８】
紙葉類を筐体１２の外部から内部に投入する際に、まず、ステージ駆動機構（図示せず）によりプーリ３６を駆動し、タイミングベルト３３を動作して紙葉類載置台５０を下降させる。このことにより、紙葉類載置台５０の上方に紙葉類の収納スペースが設けられることとなる。
【００４９】
そして、投出入口１６により紙葉類が１枚ずつ筐体１２の内部に投入されると、この紙葉類は紙葉類搬送路１８を経てフィードローラ２０とゲートローラ２２との間のニップ部に送られ、このニップ部に送られた紙葉類はフィードローラ２０により紙葉類載置台５０上に送られる。ここで、紙葉類載置台５０の基台５２の上面に固定部５６が固定されているので、ニップ部に送られた紙葉類をフィードローラ２０により紙葉類載置台５０の上に１枚ずつ載置する際に、紙葉類載置台５０に載置された紙葉類を略水平状態に維持することができる。ここで、固定部５６がなく、基台５２に対して昇降方向に変位可能なローラ押圧部５４のみが基台５２の上面に設けられている場合には、紙葉類が紙葉類載置台５０の上に集積されたときに、紙葉類が傾いてしまうおそれがあるが、本実施の形態の紙葉類載置台５０では固定部５６が基台５２の上面に固定されているので、このような問題が生じることはない。
【００５０】
次に、紙葉類を紙葉類収納カセット１０の筐体１２の内部から外部に投出する際の動作について図２を用いて説明する。
【００５１】
紙葉類を筐体１２の内部から外部に投出する際に、まず、ステージ駆動機構（図示せず）によりプーリ３６を駆動して紙葉類載置台５０を上昇させる。このことにより、紙葉類載置台５０上に集積された積層状態の複数の紙葉類のうち最上位にある紙葉類を収納繰出機構の繰り出しローラ２４に当接させることができる。
【００５２】
ここで、紙葉類載置台５０においてローラ押圧部５４が軸線Ｃを中心として揺動するようになっているので、左右一対の繰り出しローラ２４の設置高さが互いに異なる場合や、紙葉類載置台５０上に積層状態で載置された紙葉類の束の左右の高さが異なる場合でも、紙葉類載置台５０上の紙葉類に各繰り出しローラ２４を当接させたときに、ローラ押圧部５４が軸線Ｃを中心として揺動することにより、ローラ押圧部５４が昇降方向に変位し、最上位にある紙葉類に対して各繰り出しローラ２４により与えられる押圧力（グリップ力）をほぼ同じ大きさとすることができる。
【００５３】
そして、繰り出しローラ２４により、紙葉類載置台５０に集積された積層状態の複数の紙葉類のうち最上位にある紙葉類をフィードローラ２０とゲートローラ２２との間のニップ部に蹴り出す。ニップ部に送られた紙葉類は、フィードローラ２０により紙葉類搬送路１８に送られ、この紙葉類は最終的には投出入口１６まで搬送されることとなる。このことにより、紙葉類収納カセット１０の筐体１２の外部へ紙葉類が投出される。
【００５４】
以上のように本実施の形態の紙葉類収納カセット１０および紙葉類載置台５０によれば、基台５２の上面において、基台５２に対して昇降方向に変位可能なローラ押圧部５４が繰り出しローラ２４に対向して設けられている。このため、紙葉類載置台５０に載置された紙葉類のうち最上位にある紙葉類を複数の繰り出しローラ２４により繰り出そうとした際に、各繰り出しローラ２４の設置高さが互いに異なる場合や、紙葉類載置台５０上に積層状態で載置された紙葉類の束の左右の高さが異なる場合でも、紙葉類載置台５０上の紙葉類に各繰り出しローラ２４を当接させたときに、ローラ押圧部５４が昇降方向に変位することにより、この紙葉類に対して各繰り出しローラ２４により与えられる押圧力（グリップ力）をほぼ同じ大きさとすることができる。このため、紙葉類が斜行してしまう等の問題が発生することを抑制することができ、紙葉類を正確に繰り出すことができる。
【００５５】
また、基台５２の上面に、当該基台５２に対して固定された固定部５６が設けられているので、筐体１２の外部から内部に取り込まれた紙葉類を紙葉類載置台５０の上に１枚ずつ載置する際に、紙葉類載置台５０に載置された紙葉類を略水平状態に維持することができる。ここで、固定部５６がなく、基台５２に対して昇降方向に変位可能なローラ押圧部５４のみが基台５２の上面に設けられている場合には、紙葉類が紙葉類載置台５０の上に集積されたときに、紙葉類が傾いてしまうおそれがあるが、上述のような紙葉類載置台５０では固定部５６が基台５２の上面に固定されているので、このような問題が生じることはない。
【００５６】
また、ローラ押圧部５４は略水平方向に延びるビス６０や軸部材６２により固定部５６に枢支されており、ローラ押圧部５４は、ビス６０や軸部材６２の延びる方向に沿った軸線Ｃを中心として揺動するようになっている。このことにより、ローラ押圧部５４は基台５２に対して昇降方向に変位可能となる。なお、ローラ押圧部５４は、固定部５６に枢支されるものに限定されることはなく、ローラ押圧部５４が基台５２に枢支されるようになっていてもよい。
【００５７】
また、図４等に示すように固定部５６は基台５２の略中央位置に設けられている。このことにより、筐体１２の外部から内部に取り込まれた紙葉類を紙葉類載置台５０の上に１枚ずつ載置する際に、紙葉類載置台５０に載置された紙葉類をより確実に略水平状態に維持することができる。
【００５８】
また、固定部５６の上面に、この固定部５６の上方から送られた光を受けるとともにこの受けた光を固定部５６の上方に戻すような光反射機構５８が設けられており、紙葉類載置台５０の上方に、光反射機構５８に向かって光を下方に照射する発光部６４および光反射機構５８により上方に戻された光を受ける受光部６６が設けられている。そして、発光部６４から照射された光が光反射機構５８により上方に戻されて受光部６６に受けられたか否かにより紙葉類載置台５０に紙葉類が載置されているか否かが検出されるようになっている。このことにより、紙葉類載置台５０に紙葉類が載置されているか否かを容易に検出することができる。なお、このことは、紙葉類載置台５０において基台５２に対して固定部５６が固定されていることによりなされるものであり、固定部５６がなく、基台５２に対して昇降方向に変位可能なローラ押圧部５４のみが基台５２の上面に設けられている場合には、光反射機構５８を適切に設置することができないので、紙葉類載置台５０に紙葉類が載置されているか否かを検出するという所期の目的を達成することができない。
【００５９】
なお、本発明による紙葉類収納カセットおよび紙葉類載置台は、上記の態様に限定されることはなく、様々な変更を加えることができる。例えば、紙葉類載置台において基台の上面に設けられる固定部およびローラ押圧部は、図３乃至図５に示すような構成のものに限定されることはない。
【００６０】
紙葉類載置台の他の構成について図６および図７を用いて説明する。図６は、図１および図２に示す紙葉類収納カセットに設けられた紙葉類載置台の他の構成を示す上面図であり、図７は、図６に示す紙葉類載置台の側面図である。なお、図７において、参考のため、紙葉類載置台の上方にある左右一対の繰り出しローラ２４を二点鎖線で示している。
【００６１】
図６および図７に示すように、変形例に係る紙葉類載置台７０は、基台７２と、基台７２の上面に設けられ、この基台７２に対して固定された固定部７６と、基台７２の上面において固定部７６の両側に設けられた２つのローラ押圧部７４とを有している。紙葉類載置台７０に載置される紙葉類は、２つのローラ押圧部７４および固定部７６の全てにまたがって載置されることとなる。
【００６２】
図７等に示すように、基台７２の上面は略水平方向に延びるようになっており、この基台７２には図２に示すような取付部５１が取り付けられている。このため、基台７２は、筐体１２の内部から外部に紙葉類を繰り出す際に繰り出しローラ２４に向かって上昇するようになっている。
【００６３】
固定部７６は、略水平方向に延びる板状の部材からなり、図７に示すように基台７２の上面に固定されている。この固定部７６の上面も略水平方向に延びるようになっている。
【００６４】
また、固定部７６の上面には、固定部７６の上方から送られた光を受け入れる光受入部分７８ａおよびこの光受入部分７８ａに受け入れられた光を固定部７６の上方に戻す光戻し部分７８ｂがそれぞれ設けられている。これらの光受入部分７８ａおよび光戻し部分７８ｂにより、光反射機構７８が構成されている。光反射機構７８は図９（ａ）（ｂ）に示すような光反射機構５８と略同一の構成のプリズムとなっている。
【００６５】
図６および図７に示すように、基台５２の上面よりも上方において固定部７６の左右両側には２つのローラ押圧部７４が設けられている。図７に示すように、各々のローラ押圧部７４は、左右一対の各繰り出しローラ２４に対向するよう設けられている。すなわち、紙葉類載置台７０に紙葉類が載置されていない場合には、この紙葉類載置台７０が上方に移動したときに各々のローラ押圧部７４が対応する各繰り出しローラ２４にそれぞれ当接するようになっている。また、図７に示すように、各ローラ押圧部７４はバネ等の弾性部材７３により基台７２に取り付けられている。このため、弾性部材７３が昇降方向に伸縮することによって、各々のローラ押圧部７４を基台７２に対して昇降方向に変位させることができる。ここで、各ローラ押圧部７４にはそれぞれ対応する弾性部材７３が設けられているため、左右のローラ押圧部７４は互いに独立して昇降方向に変位することができるようになっている。
【００６６】
以上のように、図６および図７に示すような紙葉類載置台７０においても、図３乃至図５に示すような紙葉類載置台５０と同様に、基台７２の上面において、基台７２に対して昇降方向に変位可能なローラ押圧部７４が繰り出しローラ２４に対向して設けられている。より具体的には、ローラ押圧部７４と基台７２との間にバネ等の弾性部材７３が設けられている。このため、紙葉類載置台７０に載置された紙葉類のうち最上位にある紙葉類を複数の繰り出しローラ２４により繰り出そうとした際に、各繰り出しローラ２４の設置高さが互いに異なる場合や、紙葉類載置台７０上に積層状態で載置された紙葉類の束の左右の高さが異なる場合でも、紙葉類載置台７０上の紙葉類に各繰り出しローラ２４を当接させたときに、ローラ押圧部７４が昇降方向に変位することにより、この紙葉類に対して各繰り出しローラ２４により与えられる押圧力（グリップ力）をほぼ同じ大きさとすることができる。このため、紙葉類が斜行してしまう等の問題が発生することを抑制することができ、紙葉類を正確に繰り出すことができる。
【００６７】
また、基台７２の上面に、当該基台７２に対して固定された固定部７６が設けられている。より具体的には、固定部７６は２つのローラ押圧部７４の間に配置されている。このため、筐体１２の外部から内部に取り込まれた紙葉類を紙葉類載置台７０の上に１枚ずつ載置する際に、紙葉類載置台７０に載置された紙葉類を略水平状態に維持することができる。ここで、固定部７６がなく、基台７２に対して昇降方向に変位可能なローラ押圧部７４のみが基台７２の上面に設けられている場合には、紙葉類が紙葉類載置台７０の上に集積されたときに、紙葉類が傾いてしまうおそれがあるが、上述のような紙葉類載置台７０では固定部７６が基台７２の上面に固定されているので、このような問題が生じることはない。
【００６８】
なお、紙葉類収納カセットに設けられ、紙葉類が積層状態で載置される紙葉類載置台としては、図３乃至図５に示すような構成のものや、図６および図７に示すような構成のものに限定されることはない。すなわち、筐体の内部から外部に紙葉類を繰り出す際に繰り出しローラに向かって上昇するような基台と、基台の上面に設けられ、この基台に対して固定された固定部と、基台の上面において繰り出しローラに対向して設けられ、基台に対して昇降方向に変位可能なローラ押圧部とを有するものであれば、他の構成の紙葉類載置台を用いてもよい。
【図面の簡単な説明】
【００６９】
【図１】本発明の一の実施の形態における紙葉類収納カセットの外観を示す斜視図である。
【図２】図１に示す紙葉類収納カセットの内部の構成の概略を示す構成図である。
【図３】図１および図２に示す紙葉類収納カセットに設けられた紙葉類載置台の構成を示す斜視図である。
【図４】図３に示す紙葉類載置台の上面図である。
【図５】図４に示す紙葉類載置台のＡ−Ａ矢視による側面図である。
【図６】図１および図２に示す紙葉類収納カセットに設けられた紙葉類載置台の他の構成を示す上面図である。
【図７】図６に示す紙葉類載置台の側面図である。
【図８】図５等に示す紙葉類載置台における光反射機構の構成を示す説明図である。
【図９】（ａ）は、図８に示す光反射機構の具体的な構成を示す斜視図であり、（ｂ）は、図８に示す光反射機構の拡大説明図である。
【符号の説明】
【００７０】
１０  紙葉類収納カセット
１２  筐体
１４  把持部
１６  投出入口
１８  紙葉類搬送路
２０  フィードローラ
２０ａ  軸
２２  ゲートローラ
２２ａ  軸
２４  繰り出しローラ
２４ａ  軸
２５、２６、２７  案内ローラ
３１  案内部材
３２  案内部材
３３  タイミングベルト
３４、３６、３８、４０、４２  プーリ
５０  紙葉類載置台
５１  取付部
５２  基台
５４  ローラ押圧部
５６  固定部
５８  光反射機構
５８ａ  光受入部分
５８ｂ  光戻し部分
５８ｃ  第１の反射部分
５８ｄ  第２の反射部分
６０  ビス
６２  軸部材
６４  発光部
６６  受光部
７０  紙葉類載置台
７２  基台
７３  弾性部材
７４  ローラ押圧部
７６  固定部
７８  光反射機構
７８ａ  光受入部分
７８ｂ  光戻し部分
【図１】
2010108025.tif 000003
【図２】
2010108025.tif 000004
【図３】
2010108025.tif 000005
【図４】
2010108025.tif 000006
【図５】
2010108025.tif 000007
【図６】
2010108025.tif 000008
【図７】
2010108025.tif 000009
【図８】
2010108025.tif 000010
【図９】
2010108025.tif 000011